(57)【要約】【課題】ローマ字入力かな漢字変換方式をそのまま使用しながら、かなに対応しない英字２字をキーにして１字ないし複数の漢字を読み出し、選択・確定キー打なしに出力させるようにした拡張漢字出力方式を提供すること。【解決手段】ローマ字入力かな漢字変換方式において、かなに対応しない英字２字の入力に対して、変換キー打なし又は変換キーを打って、該英字２字に対応する、システム辞書とは別のユーザー独自の辞書アドレスに一意的に格納された１字ないし複数の漢字を読み出して、これを選択・確定キー打不要で出力確定するようにする。【選択図】図１
2008234685.tif 000002
【特許請求の範囲】
【請求項１】
ローマ字入力かな漢字変換方式において、かなに対応しない英字２字の入力に対して、変換キー打なしに、該英字２字に対応する、システム辞書とは別のユーザー独自の辞書アドレスに一意的に格納された１字ないし複数の漢字を読み出し、これを選択・確定キー打不要で出力確定するようにした、拡張漢字出力方式。
【請求項２】
かなに対応しない１字目英字と２字目数字との入力に対して、該２字に対応する、ユーザー独自の辞書アドレスに一意的に格納された１字ないし複数の漢字を同様に読み出して同様に出力されるようにした、請求項１に記載の拡張漢字出力方式。
【請求項３】
２字の入力がミスであった場合には、即座に出力された１字ないし複数の漢字は特定の機能キーの入力により消去されるようにした、請求項１または請求項２に記載の拡張漢字出力方式。
【請求項４】
ローマ字入力かな漢字変換方式において、かなに対応しない英字２字の入力に対して、変換キーを打って、該英字２字に対応する、システム辞書とは別のユーザー独自の辞書アドレスに一意的に格納された１字ないし複数の漢字を読み出し、これを選択・確定キー打不要で出力確定するようにした、拡張漢字出力方式。
【発明の詳細な説明】
【技術分野】
【０００１】
本発明は、拡張漢字出力方式に関し、詳しくはローマ字入力かな漢字変換方式をそのまま使用しながら、かなに対応しない英字２字をキーにして１字ないし複数の漢字を読み出し、出力させるようにした拡張漢字出力方式に関する。
【背景技術】
【０００２】
現在、広く使用されているローマ字入力かな漢字変換方式は、かなの多くがローマ字２字からなり、全体として入力キーの度数が多いが、入力したかなに対し数多くの同音意義語が網羅されているシステム辞書のため、変換キー及び選択・確定キーを押して、目的の漢字が少し手間がかかるが容易に出力される。
【０００３】
【特許文献１】特開平１０−２２２５０３号公報
【非特許文献１】日本語入力ガイド、Ｍｉｃｒｏｓｏｆｔ  ＩＭＥ９７  ｆｏｒ  Ｗｉｎｄｏｗｓ（登録商標）  ９５  Ｕｐｇｒａｄｅ
【非特許文献２】一太郎２００６、文字入力の流れ（１６６頁）
【非特許文献３】マイコンサーキュラ、１９８３、２月号、「パソコンの漢字入力方」（４３−５１頁）
【０００４】
ところで、このローマ字入力かな漢字変換方式では、かなに対応するローマ字を入力しなければならない。これは当然のことであるが、入力ミスをした場合、かなに対応しない英字２字、つまり子音２字を打ってそのまま子音２字が画面に表示され、あわてて、ＥＳＣキーを押して、キーを打ち直すことがよくある。
しかしながら、ミス入力ではなく、意図的に例えば「ｋｋ」と打って、即座に「株式会社」と出力されると、その場合、変換キーも選択・確定キーも使わずに済むと、効率的である。
他方、日常生活をみてみると、英字の使用は広く行われており、上記の例のように英字２字に短縮して用いる例は文書事務などで普及している。「ｐｃ」は「パーソナルコンピュータ」であることは誰でも知っている。氏名なども英字２字に短縮して記載する例もある。よく使う用語を自分なりに覚えやすい英字２字に短縮して、独自の辞書に登録しておけばよいので、このような新規な方式が提案される。
【発明の開示】
【発明が解決しようとする課題】
【０００５】
本発明の課題は、ローマ字入力かな漢字変換方式をそのまま使用しながら、かなに対応しない英字２字をキーにして１字ないし複数の漢字を読み出し、出力させるようにした拡張漢字出力方式を提供することである。
【課題を解決するための手段】
【０００６】
本発明は、ローマ字入力かな漢字変換方式において、かなに対応しない英字２字の入力に対して、変換キー打なし又は変換キーを打って、該英字２字に対応する、システム辞書とは別のユーザー独自の辞書アドレスに一意的に格納された１字ないし複数の漢字を読み出して、これを選択・確定キー打不要で出力確定するようにした、ことを特徴とする。
【発明の効果】
【０００７】
本発明によれば、ローマ字入力かな漢字変換方式の便利さはそのまま保持され、使用頻度の高い用語は短縮された英字２字を入力することで、即座に出力され、全体としてキー入力が少なくて、効率の良い文章作成が可能となる。
【発明を実施するための最良の形態】
【０００８】
ローマ字入力かな漢字変換方式において、かなに対応しない英字２字の入力に対して、変換キー打なし又は変換キーを打って、該英字２字に対応する、システム辞書とは別のユーザー独自の辞書アドレスに一意的に格納された１字ないし複数の漢字を読み出して、これを選択・確定キー打不要で出力確定するようにする。
ローマ字入力かな漢字変換方式において、数字及び記号もキー入力が可能となっているので、かなに対応しない１字目英字と２字目数字との入力に対して、さらに１字目英字と２字目記号との入力に対して、ユーザー独自の辞書を同様に読み出して同様に出力されるようにする。これにより、用語を登録すべきアドレス数が増える。
２字の入力がミスであった場合には、変換キー打なしに即座に出力された１字ないし複数の漢字は特定の機能キー、例えばＥｓｃキーの入力により消去されるようにする。
２字の入力にミスがあったかどうか確かめるために、変換キー打を待って、ユーザー独自の辞書を読み出し、これを選択・確定キー打不要で出力確定するようにする。
【実施例】
【０００９】
本発明の好適な実施例は図面に基づいて説明される。
図１はその１実施例を示したフローチャート、図２はユーザー独自の、つまり隠し辞書メモリの構成図示例である。
【００１０】
図１に示す実施例では、ステップＳ１からＳ１４までは、現に使われているローマ字入力かな漢字変換方式を示すものである。
ステップＳ１で英字１字目がキー入力され、ステップＳ２でそれが母音であるかを問われ、母音であれば、ステップＳ３であ行のいずれか対応するかなが表示され、ステップＳ４で漢字変換するかを問われ、そうするならばステップＳ５で変換キー（スペースキー）を打ち、現れた候補の漢字を選び、選択・確定キー（Ｅｎｔｅｒキー）を打って、選択された漢字が確定し表示され、次の文字を入力するために、ステップＳ１へ戻る。ステップＳ４で漢字変換しない場合にはその対応かなを確定するかをステップＳ６で問われ、確定するならステップＳ７で確定キー（Ｅｎｔｅｒキー）を打って、対応かなが確定表示され、次の文字を入力するために、ステップＳ１へ戻る。ステップＳ６で確定しない場合は次のかな入力のためステップＳ１へ戻る。
【００１１】
ステップＳ２で英字１字目が母音でない場合、ステップＳ８で英字２字目が入力され、ステップＳ９で英字２字がかなに対応するか問われ、かなに対応するならば、ステップＳ３に進み、前記の通りの手順操作が行われる。ステップＳ１０で英字３字目の入力でかなを構成するか問われ、図２のメモリアドレスで「？」を示す、例えば「ｂｙ」などについては、ステップＳ１１で英字３字目が入力され、ステップＳ１２で「ｂｙ」なら特定母音は「ａ，ｉ，ｕ，ｅ，ｏ」（場合によっては例えば「ｆｙ」については特定母音は「ａ，ｕ，ｏ」となる。）であり、そのいずれかであるかを判断され、該当するならば、対応かな、例えば「びゃ」がステップＳ３で表示され、前記手順操作が行われる。もし、特定母音でなければ、ステップＳ１３で例えば「ｂｙｓ」のように英字３字が表示され、これはミス入力と判断して、［ｅｓｃ］キーを押して、消去し、ステップＳ１へ戻る。
【００１２】
ステップＳ１５では、かな非対応英字２字、ただし上記したような拗音を構成する先頭の英字２字を除いたもの、図２に示す行列アドレスでは「ｘ」と「？」を除いた英字２字によりアドレスが即座に指定され、そに予め一意的に登録された漢字１字又は複数字を変換キー打なしに読み出し、ステップＳ１６で適当カーソル位置に当該漢字（列）が表示確定され、その際選択・確定キーは不要となり、次の操作となるステップＳ１へ進む。
なお、ステップＳ７、Ｓ５、Ｓ１４及びＳ１６ではフラグを立て出力し、またステップＳ６ではフラグをリセットし、ステップ１５の処理はこのフラグを確認して行なわれる。ローマ字入力により連続してかな変換された場合、いったん確定キーを押された後でステップＳ１５が処理される。図２の例では、「この接着剤」と入力する場合、「ｋｏｎｏ［Ｅｎｔｅｒ］ｂｄ」とする。
【００１３】
図２に示した隠し辞書メモリの構成例では、かな非対応英字２字により指定されるごく一部のアドレスに１字ないし複数字の漢字が登録されている。ｂｂの部分はｂｕｂｕｎ（ローマ字読み）より短縮され、以下同様に、ｂｃの番地はｂａｎｃｈｉ（ローマ字読み）より、ｂｄの接着剤はｂｏｎｄ（英単語）より、ｂｆの前はｂｅｆｏｒｅ（英単語）より、ｂｈの浜はｂｅａｃｈ（英単語）より、ｂｊの美はｂｉｊｉｎ（ローマ字読み）より、ｂｋの本はｂｏｏｋ（英単語）より、ｂｌの鈴はｂｅｌｌ（英単語）より、ｂｍの底はｂｏｔｔｏｍ（英単語）より、ｂｐの物はｂｕｐｐｉｎ（ローマ字読み）より、ｂｑの驚はｂｉｑｑｕｒｉより、ｂｚの電話はｂｕｚｚｅｒより、ｂ１の壱はｂａｎｋ（銀行）で用いる数字より、等々で、それぞれ短縮されている。登録すべき用語は漢字に限らず、かな又は及び英数字混じりでも良い。
【００１４】
ユーザー独自、いわゆる隠し辞書へ短縮英字２字と対応する漢字（列）を登録するには、そのためのツールソフトが設けられる。好ましくは、文章入力の際に特殊機能キーを押して、登録できるようにする。いずれにしても、いったん登録された内容は自由に変更できるようにする。これらのソフトは当業者なら作成できる。
【００１５】
かな対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、これを選択・確定キー打不要で出力確定するようにする。
【図面の簡単な説明】
【００１６】
【図１】１実施例を示したフローチャート。
【図２】ユーザー独自の、つまり隠し辞書メモリの構成図示例。
【図１】
2008234685.tif 000003
【図２】
2008234685.tif 000004